(57)【要約】【課題】ハンガー部を退避可能であり、且つ退避位置において邪魔にならないハンガーユニットを提供することを課題とする。【解決手段】椅子２の背もたれ３に設置されるハンガーユニット１において、背もたれ３に固定される基部１１と、対象物が掛けられるハンガー部１３と、ハンガー部１３を支持する支持部１２であって、基部１１と回動可能に接続されることで、ハンガー部１３を、ハンガーとしての使用に適した使用位置と使用位置から回転された退避位置との間で移動可能とする支持部１２と、を備えた。【選択図】図１
2009112727.tif 000002
【特許請求の範囲】
【請求項１】
椅子の背もたれに設置されるハンガーユニットであって、
前記背もたれに固定される基部と、
対象物が掛けられるハンガー部と、
前記ハンガー部を支持する支持部であって、前記基部と回動可能に接続されることで、前記ハンガー部を、ハンガーとしての使用に適した使用位置と該使用位置から回転された退避位置との間で移動可能とする支持部と、
を備えるハンガーユニット。
【請求項２】
前記支持部を係止することで、前記ハンガー部が前記使用位置または前記退避位置から移動することを阻止する係止部を更に備え、
前記ハンガー部は、前記係止部による係止が解除された状態で、前記使用位置または前記退避位置から移動可能である、
請求項１に記載のハンガーユニット。
【請求項３】
前記支持部を付勢することで、前記支持部を前記係止部に係止させる付勢部を更に備え、
前記係止部による係止は、前記支持部に前記付勢の方向と反対方向の外力が与えられることで解除される、
請求項２に記載のハンガーユニット。
【請求項４】
前記支持部は、前記基部に対して、前記背もたれの背面と略平行に回動可能に接続される、
請求項１から３の何れかに記載のハンガーユニット。
【請求項５】
前記支持部は、前記ハンガー部が前記退避位置にある状態で、該ハンガー部を前記基部より低い位置に支持する、
請求項１から４の何れかに記載のハンガーユニット。
【請求項６】
前記支持部は、前記ハンガー部が前記使用位置にある状態で、該ハンガー部を前記基部より高い位置に支持する、
請求項１から５の何れかに記載のハンガーユニット。
【発明の詳細な説明】
【技術分野】
【０００１】
本発明は、椅子の背もたれに設置されるハンガーユニットに関する。
【背景技術】
【０００２】
従来、伸縮式の背もたれ挟みを用いて椅子の背もたれに固定され、ハンガーフック回転部によりハンガーフックの角度を調整できる椅子用ハンガーフックがあり（特許文献１を参照）、支持本体と止め板によって椅子の背もたれの支持杆を挟持し、支持本体に支柱が固定され、支柱の上端に衣服用ハンガー部材が回動可能に接続された、椅子取付け用のハンガーがある（特許文献２を参照）。
【０００３】
また、中間部が前方に突出するようにして屈曲した背もたれの後面に上下動可能として支持されたハンガー支持杆と、ハンガー支持杆の上端部に取付けられたハンガー本体とを備え、ハンガー支持杆を、中間部が前方に向けて突出するように湾曲させたハンガー付き椅子がある（特許文献３を参照）。
【特許文献１】実開平５−９５３５０号公報
【特許文献２】実開平７−７５５１号公報
【特許文献３】特開２００５−１３７７９７号公報
【特許文献４】特開平１１−１５５６９０号公報
【発明の開示】
【発明が解決しようとする課題】
【０００４】
従来、衣類等を掛けるためのハンガーが背もたれに設けられた椅子がある。このようなハンガーが設けられた椅子は、着席者が上着等を脱いで着席する場合に、離れた位置にあるハンガーへ上着等を掛けに行く必要が無く、また、近くに上着を掛けておけるため、椅子を離れる際に、すぐに上着を取ることが出来る、等の利点を有する。
【０００５】
しかし、このようなハンガー付き椅子は、椅子の背もたれからハンガーおよびその設置機構が大きく迫り出しているために、ハンガーを使用していない状態にあっては、邪魔になることがある。そこで、従来、ハンガーを支持する支柱を上下方向にスライド可能とすることで、ハンガーを使用しない状況においてはハンガーを下げることができるようにしたハンガー付き椅子がある。
【０００６】
しかし、このような上下動機構では、ハンガーを下げた状態にあってもハンガー支持杆が背もたれの後方に出ており、更に、ハンガー部は変わらず背もたれの上方に位置している。このため、外観を損ね、使用されないハンガーが邪魔であるという問題は完全には解決されなかった。
【０００７】
本発明は、上記した問題に鑑み、ハンガー部を退避可能であり、且つ退避位置において邪魔にならないハンガーユニットを提供することを課題とする。
【課題を解決するための手段】
【０００８】
本発明は、上記した課題を解決するために、ハンガー部を支持する支持部を回動可能とすることで、ハンガー部を退避可能であり、且つ退避位置において邪魔にならないハンガーユニットを提供することを可能にした。
【０００９】
詳細には、本発明は、椅子の背もたれに設置されるハンガーユニットであって、前記背もたれに固定される基部と、対象物が掛けられるハンガー部と、前記ハンガー部を支持す
る支持部であって、前記基部と回動可能に接続されることで、前記ハンガー部を、ハンガーとしての使用に適した使用位置と該使用位置から回転された退避位置との間で移動可能とする支持部と、を備えるハンガーユニットである。
【００１０】
なお、ハンガーユニットは背もたれに設置され、設置される箇所は、通常、背もたれの背部である。但し、背もたれの側部等、背部以外の箇所に設置されてもよい。また、基部と背もたれは分離可能な別部材であっても単一の部材であってもよい。
【００１１】
ここで、使用位置とは、ハンガー部がハンガーとして使用されるための位置である。使用位置にある場合、ハンガー部は支持部によって上向きに支持される。なお、ハンガー部に掛けられる衣類等が床につかないようにするために、支持部は、ハンガー部が使用位置にある状態で、該ハンガー部を基部より高い位置に支持することが好ましい。
【００１２】
退避位置とは、ハンガー部がハンガーとして使用されない時に、ハンガー部が退避されている位置である。なお、支持部が、ハンガー部が退避位置にある状態で該ハンガー部を基部より低い位置に支持することで、ユーザにとって完全に邪魔にならない位置までハンガー部を退避させることが可能である。
【００１３】
本発明は、使用位置から退避位置への移動を、支持部の回動によって実現している。支持部の回動によってハンガー部が退避位置へ移動されることによって、従来の上下動機構による位置変更と異なり、基部とハンガー部との位置関係を変更することが可能となる。このため、本発明に拠れば、ハンガー部が退避位置において邪魔にならないようにすることが可能となる。
【００１４】
なお、この回動の方向は、背もたれの背面と略平行であってもよい。一般に背もたれの背面は垂直よりも床側にやや傾いているため、背面と略平行である支持部の回転面は垂直よりも傾いた面となる。このため、ハンガー部の退避位置は、背もたれ背面の下側に潜って隠れるような格好となり、ユーザにとって邪魔にならず、外観も良好な状態とすることが出来る。
【００１５】
また、本発明に係るハンガーユニットは、前記支持部を係止することで、前記ハンガー部が前記使用位置または前記退避位置から移動することを阻止する係止部を更に備え、前記ハンガー部は、前記係止部による係止が解除された状態で、前記使用位置または前記退避位置から移動可能であってもよい。
【００１６】
ここで、係止部によって移動が阻止されるのは、使用位置または退避位置の何れか一方のみでもよいし、両方の位置において阻止されることとしてもよい。このような係止部を備えることで、ユーザの手が触れることや、ハンガー部の自重によって、ハンガー部が誤って移動してしまうことを防止することが可能となる。
【００１７】
また、本発明に係るハンガーユニットは、前記支持部を付勢することで、前記支持部を前記係止部に係止させる付勢部を更に備え、前記係止部による係止は、前記支持部に前記付勢の方向と反対方向の外力が与えられることで解除されてもよい。
【００１８】
ここで、付勢部には、コイルバネ、板バネ、ゴム等の弾性部材が用いられてもよい。付勢部による付勢によって係止部が自動的に係止することによって、ユーザによって付勢の方向と反対方向の力が与えられるまではハンガー部の移動を阻止し、ユーザによって付勢の方向と反対方向の力が与えられたときにハンガー部を移動可能とすることが出来る。即ち、本発明に拠れば、ユーザによって明示的に操作された場合にのみ、ハンガー部を使用位置または退避位置から移動させることが可能なハンガーユニットを提供することが可能
となる。
【発明の効果】
【００１９】
本発明によって、ハンガー部を退避可能であり、且つ退避位置において邪魔にならないハンガーユニットを提供することが可能となる。
【発明を実施するための最良の形態】
【００２０】
本発明に係るハンガーユニットおよび該ハンガーユニットが設置された椅子の実施の形態について、図面に基づいて説明する。
【００２１】
図１は、本実施形態におけるハンガーユニット１および該ハンガーユニット１が設置された椅子２の構成を示す斜視図である。また、図２は、本実施形態におけるハンガーユニット１および該ハンガーユニット１が設置された椅子２の構成を示す分解斜視図である。本実施形態に係るハンガーユニット１は、椅子２の背もたれ３に固定される基部１１と、衣類等が掛けられるハンガー部１３と、基部１１と回動可能に接続され、ハンガー部１３を支持する支持部１２と、を備える。更に、支持部１２が基部１１に接続される接続部１６には、支持部１２を基部１１に対して所定の方向に付勢するための付勢部（半円部材１４およびコイルバネ１５）が設けられる。そして、このハンガーユニット１は、キャスター６と、脚部５と、座部４と、背もたれ３とを備える椅子２に設置される。
【００２２】
図３は、本実施形態に係るハンガーユニット１の構成を示す分解斜視図である。基部１１は、背もたれ３の背面に接触する部分において背もたれ３の背面上部の形状に沿う形状を有し、椅子２の背もたれ３の背面上部に、ネジ締結等の手段を用いて固定される。固定には、ネジ締結以外の手段、例えば、接着などの手段が採用されてもよい。また、基部１１は、取り付け面の反対面に、支持部１２が接続される接続部１６を有する。本実施形態において、接続部１６は、中心にネジ穴を備える円柱孔であり、ネジ穴には、支持部１２の基端１２ａが回動可能にネジ止めされる。
【００２３】
ハンガー部１３は、衣類等が掛けられるハンガーとしての役割を果たす部分であり、中心から外側に向かって延びる二本の腕を有する。この腕は、中心から外側へ向かってカーブを描いて徐々に下がる形状を有する。本実施形態では、ハンガー部１３は、支持部１２と一体に成形される。但し、本実施形態において、ハンガー部１３と支持部１２とは一体成形された一個の部材であるが、ハンガー部１３と支持部とは別個の部材から成ってもよい。
【００２４】
支持部１２は、基端１２ａからハンガー部支持端１２ｂまで延びる棒状の部材であり、その基端１２ａは基部１１に対して回動可能に接続される。本実施形態では、支持部１２の基端１２ａは基部１１に設けられた接続部１６に対応する形状を有し、その中心にはネジ穴に対応する長孔１７が設けられる。この長孔１７は、ネジの軸部は通るがネジ頭は通らない大きさの長孔１７であり、且つ、長孔１７であることで、ネジによって支持部１２が基部１１に接続された状態でも、この長孔１７を用いて基部１１に対して支持部１２をスライドさせることが可能である。また、ネジは、基部１１のネジ穴には螺合するが、支持部１２の基端１２ａの長孔１７の内側面には螺合しないため、支持部１２は基部１１に対して回動可能である。
【００２５】
また、支持部１２は、その外側に被係止爪１９ａ、１９ｂを有し、基部１１は、円柱孔周囲の２箇所に係止溝１８ａ、１８ｂを有する。本実施形態では、被係止爪１９ａ、１９ｂは、支持部１２の基端１２ａの上側に１箇所（被係止爪１９ａ）、その下側に１箇所（被係止爪１９ｂ）設けられ、係止溝１８ａ、１８ｂは、円柱孔の上側の縁に１箇所（係止溝１８ａ）、下側の縁に１箇所（係止溝１８ｂ）設けられる。
【００２６】
このようにすることで、ハンガー部１３が使用位置にある状態（即ち、支持部１２が基端１２ａから上向きに延びている状態）では被係止爪１９ａは上側の係止溝１８ａに、ハンガー部１３が退避位置にある状態（即ち、支持部１２が基端１２ａから下向きになっている状態）では被係止爪１９ａは下側の係止溝１８ｂに、係止されることが出来る。同様に、ハンガー部１３が使用位置にある状態では被係止爪１９ｂは下側の係止溝１８ｂに、ハンガー部１３が退避位置にある状態では被係止爪１９ｂは上側の係止溝１８ａに、係止される。
【００２７】
基部１１と支持部１２との間には、支持部１２を付勢することで、支持部１２の被係止爪１９ａ、１９ｂを係止溝１８ａ、１８ｂに係止させる付勢部が設けられる。本実施形態における付勢部は、半円部材１４に弾性部材（コイルバネ１５）が設けられたものであり、残りの半円を構成する支持部１２の基端１２ａと共に基部１１の円柱孔（接続部１６）に収められる（図４を参照）。
【００２８】
このような付勢部が基部１１と支持部１２との間に設けられることで、コイルバネ１５の一端は支持部１２に付勢し、コイルバネ１５の他端は半円部材１４を介して基部１１の円柱孔の内側面に付勢する。このため、ハンガー部１３が使用位置にある状態（即ち、支持部１２が基端１２ａから上向きに延びている状態）では支持部１２は下方に押され、被係止爪１９ａ、１９ｂが下がることで係止溝１８ａ、１８ｂに係止される。また、ハンガー部１３が退避位置にある状態（即ち、支持部１２が基端１２ａから下向きになっている状態）では支持部１２は上方に押され、被係止爪１９ｂ、１９ａが上がることで係止溝１８ａ、１８ｂに係止される。即ち、本実施形態に係るハンガーユニット１では、ハンガーユニット１が付勢部を備えることで、ハンガー部１３が使用位置および退避位置にある場合に、係止溝１８ａ、１８ｂによって係止部の回動が阻止される。
【００２９】
次に、本実施形態に係るハンガーユニット１の操作方法を説明する。図５Ａから図５Ｅは、本実施形態に係るハンガーユニット１の操作手順の各段階におけるハンガーユニット１の状態を示す図である。ここでは、ハンガー部１３が使用位置にある場合から説明を開始する。図６Ａは、本実施形態におけるハンガー部１３が使用位置にある場合の、支持部１２と基部１１との接続状態を示す透過斜視図である。ハンガー部１３が使用位置にある場合、ハンガー部１３は、支持部１２によって基部１１よりも高い位置に支持されている。また、付勢部によって支持部１２が付勢されることによって、被係止爪１９ａ、１９ｂが係止溝１８ａ、１８ｂに係止され、支持部１２の回転は阻止されている（図５Ａを参照）。
【００３０】
ここで、ユーザがハンガー部１３または支持部１２を持って上方に引っ張ると、付勢部には付勢部による付勢の方向（即ち支持部１２を下方に押す力）と反対方向の力が与えられ、支持部１２は上方に移動し、それに伴って係止溝１８ａ、１８ｂによる係止は解除される（図５Ｂを参照）。また、図７は、本実施形態におけるハンガーユニット１が使用位置から係止解除された場合の、係止溝１８ａと被係止爪１９ａとの状態を示す斜視図である。
【００３１】
図６Ｂは、本実施形態におけるハンガーユニット１が使用位置から係止解除された場合の、支持部１２と基部１１との接続状態を示す透過斜視図である。係止が解除された状態で、ユーザは、支持部１２を回転、即ち、ハンガー部１３を移動させる。本実施形態では、支持部１２は背もたれ３の背面に略直角な軸を中心に回動するように基部１１に接続されており、背もたれ３の背面と略平行に回転する（図５Ｃおよび図６Ｃを参照）。なお、図５Ｃには椅子２の背面から向かって右回転する様子が描かれているが、回転は左回転または右回転のどちらでもよい。
【００３２】
支持部１２が１８０度回転したところで、支持部１２の被係止爪１９ａは、円柱孔の下側の縁に設けられた係止溝１８ｂに係止可能な位置まで移動する（図５Ｄを参照）。同様に、被係止爪１９ｂは、円柱孔の上側の縁に設けられた係止溝１８ａに係止可能な位置まで移動する。図６Ｄは、本実施形態におけるハンガーユニット１が退避位置から係止解除された状態の、支持部１２と基部１１との接続状態を示す透過斜視図である。ここで、付勢部は、支持部１２と共に１８０度回転しており、支持部１２を上方に押している。このため、支持部１２は付勢部による付勢の力によって上方に移動し、被係止爪１９ａが円柱孔の下側の縁に設けられた係止溝１８ｂに係止される。同様に、被係止爪１９ｂが円柱孔の下側の縁に設けられた係止溝１８ａに係止される。この状態で、ハンガー部１３は使用位置から退避位置への移動を完了する（図５Ｅを参照）。
【００３３】
図６Ｅは、本実施形態におけるハンガー部１３が退避位置にある場合の、支持部１２と基部１１との接続状態を示す透過斜視図である。本実施形態に拠れば、ハンガー部１３が退避位置に移動されることで、ハンガーを使用していない場合にハンガーが邪魔にならない。特に、ハンガー部１３が基部１１よりも低い位置まで移動することで、従来の基部よりも上に移動される方式の椅子取り付けハンガーに比べて、外観を損なわず、ユーザにとって邪魔にならないという効果を得ることが可能となる。
【００３４】
なお、上記説明した手順と逆の手順を踏むことで、退避位置にあるハンガー部１３を使用位置まで移動させることが出来る。即ち、ユーザは、退避位置にあるハンガー部１３または支持部１２を持って下方に引っ張ることで係止を解除し、支持部１２を１８０度回転させることでハンガー部１３を基部１１の上方に位置させ、手を離して被係止爪１９ａ、１９ｂを円柱孔の縁に設けられた係止溝１８ａ、１８ｂに係止させることで、ハンガー部１３を使用位置へ移動させることが出来る。
【００３５】
なお、本実施形態に係る支持部１２の長さは、ハンガー部１３を床から所定以上の高さに支持できるように決定される。即ち、支持部１２の長さは、床から基部１１までの高さと基部１１から使用状態にあるハンガー部１３までの高さの合計が、ハンガー部１３に掛けられる衣服の長さよりも大きくなるように決定される。図８は、本実施形態に係るハンガーユニット１（使用位置）が設けられた椅子２の側面図である。このようにすることで、使用位置にあるハンガー部１３に衣類を掛けた場合に、衣類が床につかないようにすることが出来る。
【００３６】
従来の椅子取り付けハンガーにおいて、長い衣類を掛けても床につかないようにハンガーの位置を高くしようとすると、支持部が長くなり、ハンガーを使用しないときには外観を損ね、ユーザにとって邪魔になるという問題が発生する。また、例えば支持部が下方にスライドする上下動機構を設けたとしても、長い支持部が下に延びているのは外観を損なう上、下げられたハンガーも結局は基部の上方にあるために、使用されないハンガーが邪魔であるという問題は完全には解決されない。
【００３７】
これに対して、本実施形態に係るハンガーユニット１に拠れば、回転機構によってハンガーが基部１１よりも低い位置に移動するため、外観を損ねずに、ユーザにとって邪魔になる位置からハンガーを移動させることが可能となる。図９は、本実施形態に係るハンガーユニット１（退避位置）が設けられた椅子２の側面図である。一般に、背もたれ３の背面は垂直よりも床側にやや傾いているため、このような椅子２にハンガーユニット１を設置した場合、背面と略平行である支持部１２の回転面は垂直よりも傾いた面となる。このため、ハンガー部１３の退避位置は、背もたれ３背面の下側に潜って隠れるような格好となり、ユーザにとって邪魔にならず、外観も良好な状態とすることが出来る。
【図面の簡単な説明】
【００３８】
【図１】実施形態におけるハンガーユニットおよび該ハンガーユニットが設置された椅子の構成を示す斜視図である。
【図２】実施形態におけるハンガーユニットおよび該ハンガーユニットが設置された椅子の構成を示す分解斜視図である。
【図３】実施形態に係るハンガーユニットの構成を示す分解斜視図である。
【図４】実施形態に係るハンガーユニットにおいて、基部に支持部を接続する箇所の詳細な構成を示す分解斜視図である。
【図５Ａ】実施形態に係るハンガーユニットの操作手順の第一段階におけるハンガーユニットの状態を示す図である。
【図５Ｂ】実施形態に係るハンガーユニットの操作手順の第二段階におけるハンガーユニットの状態を示す図である。
【図５Ｃ】実施形態に係るハンガーユニットの操作手順の第三段階におけるハンガーユニットの状態を示す図である。
【図５Ｄ】実施形態に係るハンガーユニットの操作手順の第四段階におけるハンガーユニットの状態を示す図である。
【図５Ｅ】実施形態に係るハンガーユニットの操作手順の第五段階におけるハンガーユニットの状態を示す図である。
【図６Ａ】実施形態におけるハンガー部が使用位置にある場合の、支持部と基部との接続状態を示す透過斜視図である。
【図６Ｂ】実施形態におけるハンガーユニットが使用位置から係止解除された場合の、支持部と基部との接続状態を示す透過斜視図である。
【図６Ｃ】実施形態におけるハンガーユニットが使用位置から退避位置へ移動される途中の状態を示す透過斜視図である。
【図６Ｄ】実施形態におけるハンガーユニットが退避位置から係止解除された状態の、支持部と基部との接続状態を示す透過斜視図である。
【図６Ｅ】実施形態におけるハンガー部が退避位置にある場合の、支持部と基部との接続状態を示す透過斜視図である。
【図７】実施形態におけるハンガーユニットが使用位置から係止解除された場合の、係止溝と被係止爪との状態を示す斜視図である。
【図８】実施形態に係るハンガーユニット（使用位置）が設けられた椅子の側面図である。
【図９】実施形態に係るハンガーユニット（退避位置）が設けられた椅子の側面図である。
【符号の説明】
【００３９】
１  ハンガーユニット
２  椅子
３  背もたれ
４  座部
５  脚
６  キャスター
１１  基部
１２  支持部
１２ａ  基端
１２ｂ  ハンガー部支持端
１３  ハンガー部
１４  半円部材
１５  コイルバネ
１６  接続部
１７  長孔
１８ａ、１８ｂ  係止溝
１９ａ、１９ｂ  被係止爪
【図１】
2009112727.tif 000003
【図２】
2009112727.tif 000004
【図３】
2009112727.tif 000005
【図４】
2009112727.tif 000006
【図５Ａ】
2009112727.tif 000007
【図５Ｂ】
2009112727.tif 000008
【図５Ｃ】
2009112727.tif 000009
【図５Ｄ】
2009112727.tif 000010
【図５Ｅ】
2009112727.tif 000011
【図６Ａ】
2009112727.tif 000012
【図６Ｂ】
2009112727.tif 000013
【図６Ｃ】
2009112727.tif 000014
【図６Ｄ】
2009112727.tif 000015
【図６Ｅ】
2009112727.tif 000016
【図７】
2009112727.tif 000017
【図８】
2009112727.tif 000018
【図９】
2009112727.tif 000019